(57)【要約】【課題】録画と同時に視聴していたデータ放送が通信サーバから取得したデータであったとき、その番組を再生したときに通信サーバの状態にかかわらず通信サーバ経由のデータを視聴可能なデジタル放送受信機を提供する。【解決手段】デジタル放送信号を受信する手段と、前記受信信号を映像信号と音声信号とデータ放送内容に分離する手段と、前記データ放送内容を記録装置に記録する手段と、前記外部記録装置に記録されたデータ放送内容を取りこむ手段と、通信経由でデータ放送内容を取り込む手段と、前期放送や通信で取り込んだデータを表示する手段を備えたデジタル放送受信機において、取得した通信データを記録する手段と、記録した通信データを取り込む手段と放送番組と通信データの関連情報を記録する手段をあわせ持つ。【選択図】図１
2005311760.tif 000002
【特許請求の範囲】
【請求項１】
デジタル放送信号を受信する手段と、前記受信信号を映像信号と音声信号とデータ放送内容に分離する手段と、前記データ放送内容を記録装置に記録する手段と、前記外部記録装置に記録されたデータ放送内容を取りこむ手段と、通信経由でデータ放送内容を取り込む手段と、前期放送や通信で取り込んだデータを表示する手段を備えたデジタル放送受信機において、取得した通信データを記録する手段と記録した通信データを取り込む手段と、放送番組と通信データの関連情報を記録する手段を備えたことを特徴とするデジタル放送受信機。
【発明の詳細な説明】
【技術分野】
【０００１】
本発明は、データ放送にて送られてくるデータおよび通信経由にて取得されるデータについて、内部または他機器にて記録および表示を行うデジタル放送受信機に関するものである。
【背景技術】
【０００２】
デジタル放送にてデータ放送を受信し、利用する場合、データ放送は放送データ内に存在するデータのみを表示するほかに、外部の通信サーバにデータを置いておき、受信機がデータ放送の記述にしたがって必要に応じて、通信経由で外部サーバからデータを取得して表示することが可能である。一方、受信中のデータ放送を視聴しながら、Ｄ−ＶＨＳなどの外部録画装置に録画することも可能であり録画したデータ放送は後から再生し視聴することが可能である。
【特許文献１】特開２００２−１５２６１５号公報
【発明の開示】
【発明が解決しようとする課題】
【０００３】
従来は、Ｄ−ＶＨＳ等に記録されているデータ放送を後から再生してデータ放送を表示したときに、録画時に表示していたデータが通信経由で取得したデータであった場合、再度、通信経由で取得しに行くことになるが、通信サーバに置かれているデータが、放送していた当時と同じ内容であるかどうかはわからない。また、通信サーバ自体が存在していないかもしれない。そうした場合、録画したときには表示できたデータ放送が見れなかったり、録画していたときに視聴していた内容と異なるということになる。
【０００４】
本発明は、こうした従来の問題点を解決するものであり、録画しながら視聴したデータ放送が通信サーバから取得したデータであったとき、録画した番組を再生したときに通信サーバの状態にかかわらず通信サーバ経由のデータを視聴可能なデジタル放送受信機を提供することを目的としている。
【課題を解決するための手段】
【０００５】
本発明のデジタル放送受信機は、デジタル放送信号を受信する手段と、前記受信信号を映像信号と音声信号とデータ放送内容に分離する手段と、前記データ放送内容を記録装置に記録する手段と、前記記録装置に記録されたデータ放送内容を取りこむ手段と、通信経由でデータ放送内容を取り込む手段と、前期放送や通信で取り込んだデータを表示する手段を備えたデジタル放送受信機において、取得した通信データを記録する手段と、記録した通信データを取り込む手段と、放送番組と通信データの関連情報を記録する手段を備えたことを特徴とする。
【発明の効果】
【０００６】
本発明により、表示した通信データと放送番組の関連情報を記録し、その関連情報を用いて適切に記録された通信データを表示することにより、通信サーバから該当コンテンツが消去されたり、通信サーバ上で異なるデータに置き換わっていても、録画時に視聴した通信データ放送が視聴可能となり利用価値の向上を得られる。
【発明を実施するための最良の形態】
【０００７】
（実施の形態）
図１は、本発明の一実施形態であるデジタル放送受信機の基本的な構成を示す図である。図１において、１０１はＴＳ分離部、１０２はＴＳ記録部、１０３はデータ解析部、１０４はデータ表示部、１０５は通信データ取得部、１０６はデータ記録部である。
【０００８】
図１の装置での記録時の流れを図２を用いて説明する。
【０００９】
図２において、映像信号や音声信号と多重化されたＴｒａｎｓｐｏｒｔ  Ｓｔｒｅａｍ信号（ＴＳ信号）として入力されたＴＳ信号２０１は、ＴＳ分離部２０２により、映像ストリーム、音声ストリーム、データストリームに分離される。分離されたデータストリームはデータ解析部１０３に送られる。また、入力されたＴＳ信号は同時にＴＳ記録部２０５に送られ、そこで記録される。データ解析部２０３にてデータの内部のＢＭＬ文書を調べ、ＢＭＬ文書の記述にしたがって表示データを作成する。またＢＭＬ文書の記述によって、その中のＡタグや文書遷移拡張関数に記述されたＵＲＬのスキームがｈｔｔｐやｈｔｔｐｓのときは、通信データ取得部２０７が外部通信サーバから通信データ２０６として取得する。通信データ取得部２０７で取得された通信データはデータ解析部２０３に送られ、データ解析部２０３にて表示データを作成する。このとき同時に取得した通信データはデータ記録部２０８に送られ、データ記録部２０８で記録される。さらに、同時に番組情報、もとのＵＲＬ、新しい保存先のＵＲＬを関連づけた関連付けデータも記録する。データ解析部２０３で作成された表示データは、データ表示部２０４に送られ表示画面に表示される。
【００１０】
次に図１の装置での再生時の流れを図３を用いて説明する。
【００１１】
図３において、ＴＳ記録部３０２から再生されたＴＳ信号は、ＴＳ分離部３０１により、映像ストリーム、音声ストリーム、データストリームに分離される。分離されたデータストリームはデータ解析部３０３に送られる。データ解析部３０３にてデータの内部のＢＭＬ文書を調べ、ＢＭＬ文書の記述にしたがって表示データを作成する。またＢＭＬ文書の記述によって、その中のＡタグや文書遷移拡張関数に記述されたＵＲＬのスキームがｈｔｔｐやｈｔｔｐｓのときは、データ記録部３０６から関連付けデータを取り出し、そこに記述された番組情報、もとのＵＲＬが一致したとき、保存先ＵＲＬのデータをデータ記録部３０６から取り出し、データ解析部３０３にてデータの内部のＢＭＬ文書を調べ、ＢＭＬ文書の記述にしたがって表示データを作成する。データ解析部３０３で作成された表示データは、データ表示部３０４に送られ表示画面に表示される。
【産業上の利用可能性】
【００１２】
本発明のデジタル放送受信機は、表示した通信データと放送番組の関連情報を記録し、その関連情報を用いて適切に記録された通信データを表示することにより、通信サーバから該当データが消去されていたり、通信サーバ上で異なるデータに置き換わっていても、録画時に視聴した通信データ放送が視聴可能となり、利用価値の向上を得られ、ＴＶやセットトップボックスとして有用である。
【図面の簡単な説明】
【００１３】
【図１】本発明の一実施形態に係るデジタル放送受信機の構成を示すブロック図
【図２】本発明の一実施形態に係るデジタル放送受信機の録画時の流れを示すブロック図
【図３】本発明の一実施形態に係るデジタル放送受信機の再生時の流れを示すブロック図
【符号の説明】
【００１４】
１０１    ＴＳ分離部
１０２    ＴＳ記録部
１０３    データ解析部
１０４    データ表示部
１０５    通信データ取得部
１０６    データ記録部
２０１    ＴＳ信号
２０２    ＴＳ分離部
２０３    データ解析部
２０４    データ表示部
２０５    ＴＳ記録部
２０６    通信データ
２０７    通信データ取得部
２０８    データ記録部
３０１    ＴＳ分離部
３０２    ＴＳ記録部
３０３    データ解析部
３０４    データ表示部
３０５    通信データ取得部
３０６    データ記録部
【図１】
2005311760.tif 000003
【図２】
2005311760.tif 000004
【図３】
2005311760.tif 000005